(57)【要約】【課題】増幅器ケースから電源部を取り出した際に、コンパクトにする。【解決手段】電源部４０を増幅器ケース１から取り出した際には、第１ケース部３を第２ケース部４に対して下方へ摺動させて、第１ケース部３および第２ケース部４からなる部分の高さを収縮させる。これにより、増幅器ケース１内から電源部を収納する空間をなくして増幅部５１だけを収納する空間だけとすることができ、増幅器ケース１をコンパクトにすることができる。【選択図】  図５
2004248133.tif 000002
【特許請求の範囲】
【請求項１】
上面が開放されて内部に収納空間を有する略直方体の形状とされ、前記収納空間に増幅器が収納可能とされている第２ケース部と、
該第２ケース部の後面に嵌着できるよう断面が略コの字状に形成され、嵌着された際に前記第２ケース部に対して上下に摺動可能とされる摺動手段が形成されていると共に、前記増幅器に電源を供給する電源部を着脱可能に保持する保持手段が形成されている第１ケース部と、
該第１ケース部の上部に回転可能に支持されて、前記第１ケース部の上面および前面を覆うように開閉自在とされ、閉じた際に前記第２ケース部に間隔を置いて上下に形成されている被係合手段のいずれかに係合する係合手段が形成されている蓋部とからなり、
前記第１ケース部に前記電源部を収納した際には、前記蓋部を閉じた際に前記係合手段が、前記第２ケース部の上側に形成されている前記被係合手段に係合され、前記第１ケース部から前記電源部を取り外した際には、前記第１ケース部を前記第２ケース部方向に摺動させて収縮させることにより、前記係合手段が前記第２ケース部の下側に形成されている前記被係合手段に係合されて、前記電源部の収納空間をなくすことができるようにしたことを特徴とする増幅器ケース。
【請求項２】
前記第２ケース部の対向する第２ケース側面板の外面に摺動溝が形成され、前記第１ケース部の対向する第１ケース側面板の内面に、前記摺動溝内を摺動可能に係合する係合凸部が形成されていることにより、前記第１ケース部が前記第２ケース部に摺動されるようにしたことを特徴とする請求項１記載の増幅器ケース。
【請求項３】
前記係合凸部が距離を置いて上下に形成されていると共に、前記摺動溝内の上部と下部に前記係合凸部が係止される係合突起がそれぞれ形成されていることを特徴とする請求項２記載の増幅器ケース。
【請求項４】
前記電源部には、両側面から突出する突部と下面両側から突出する位置決め片とが形成されており、該突部が摺動可能に挟持される押さえ片が挟持されるリブが前記第１ケース部の後面板に形成され、前記位置決め片の先端が嵌合するリブが前記第２ケース部の後面板に形成されていることを特徴とする請求項１記載の増幅器ケース。
【請求項５】
前記第１ケース部の後面板の上部の両側に所定長の第１ケースリブが形成されており、前記第１ケース部を前記第２ケース部方向に摺動させて収縮させた際に、前記第１ケースリブが前記第２ケース部の後面板の上部の両側に形成されている溝部内に嵌合して位置規制されるようにしたことを特徴とする請求項１記載の増幅器ケース。
【発明の詳細な説明】
【０００１】
【発明の属する技術分野】
本発明は、ＣＡＴＶ信号を増幅する増幅器が収納される増幅器ケースに関するものである。
【０００２】
【従来の技術】
従来、ＣＡＴＶシステムからＣＡＴＶ信号を建物の屋内に導入する際には、図２５に一例を示すようにＣＡＴＶライン１００により伝送しているＣＡＴＶ信号を分岐器１０１により分岐し、建物の外壁に取り付けた増幅器１０２に供給する。そして、増幅器１０２により増幅した後、同軸ケーブルにより建物内に導入し、分配器１０３により例えば２分配してテレビジョン受像機（ＴＶ）に供給している。増幅器１０２は、分配器１０３等によるＣＡＴＶ信号のレベル低下を補うものであり、増幅器ケースに収納されている。また、この増幅器ケース内には増幅器１０２に電源を供給する電源部も収納されている。電源部は、商用交流電源（ＡＣ１００Ｖ）で動作するようにされている。
【０００３】
また、ＣＡＴＶシステムからＣＡＴＶ信号を建物の屋内に導入する際の他の構成を図２６に示す。この例では、増幅器１０２に供給する電源部を増幅器ケース内に収納することに代えて、建物の屋内にて同軸ケーブルの途中に電源部１０４を設置している。そして、電源部１０４においてＡＣ１００Ｖの商用交流電源を例えば＋１５Ｖの直流電源に変換して同軸ケーブルにより増幅器１０２に供給している。この構成では、屋外にＡＣ１００Ｖのコンセントを設けることを不要とすることができる。
【０００４】
このように、ＣＡＴＶ信号を導入する際に、ＣＡＴＶ信号を増幅する増幅器１０２に電源を供給する構成が２種類存在している。すなわち、図２５に示したように増幅器１０２の増幅器ケース内に内蔵した電源部を用いてＡＣ１００Ｖで動作させる構成と、図２６に示したように増幅器１０２から離れた場所（屋内）に電源部１０４を設け、この電源部１０４においてＡＣ１００Ｖを直流電源に変換し、ＣＡＴＶ信号が供給される同軸ケーブルを利用して増幅器１０２に電源を供給する構成とのいずれかが用いられている。図２６に示す構成は、前述したように屋外にＡＣ１００Ｖのコンセントがない場合に採用される。
【０００５】
従って、ＣＡＴＶ用増幅器を提供するメーカは、増幅器ケースに電源部も内蔵されているタイプと、増幅器のみを内蔵する増幅器ケースと、電源部とに分離されているタイプとの２タイプを用意しなければならないことになる。また、ＣＡＴＶ工事を行う工事業者も同様であり、このため、在庫管理等の必要性から高コストになるという問題点があった。また、工事業者は現場対応となるため２タイプの増幅器を現場に搬入しておかなければならず、部材の確認など作業が煩雑になるという問題点があった。
【０００６】
これを解決するために、増幅器ケース内に電源部を脱着可能に収納できるようにした増幅器が提案（例えば、特許文献１参照）されている。この増幅器では、屋外にＡＣ１００Ｖの供給源がある場合は、増幅器ケース内に電源部を収納した状態として図２５に示すような構成とすることができ、屋外にＡＣ１００Ｖの供給源がない場合は、増幅器ケース内から電源部を取り出して屋内に設置する図２６に示すような構成とすることができる。この場合、電源部には同軸ケーブルを接続することができる信号入力端子と信号出力端子が設けられると共に、増幅器にも信号入力端子と信号出力端子とが設けられている。そして、増幅器の信号出力端子は電源入力端子を兼用していると共に、電源部の信号入力端子は電源出力端子を兼用している。そこで、増幅器から電源部を分離して使用する際には、増幅器の信号出力端子と電源部の信号入力端子とを同軸ケーブルで接続することにより、増幅器に電源部から電源を供給することができるようになる。なお、電源部に入力されたＣＡＴＶ信号は、そのまま信号出力端子から出力される。
【０００７】
【特許文献１】
特許第３２３９１０５号
【０００８】
【発明が解決しようとする課題】
しかしながら、従来の増幅器ケースにおいては増幅器ケースから電源部を取り出した際には、電源部を取り出した後の使用することのない収納空間ができることになり、無駄な収納空間が生じるという問題点があった。
そこで、本発明は、増幅器ケースから電源部の収納あるいは取り出しに応じて、収納空間を可変することのできる増幅器ケースを提供することを目的としている。
【０００９】
【課題を解決するための手段】
上記目的を達成するために、本発明の増幅器ケースは、上面が開放されて内部に収納空間を有する略直方体の形状とされ、前記収納空間に増幅器が収納可能とされている第２ケース部と、該第２ケース部の後面に嵌着できるよう断面が略コの字状に形成され、嵌着された際に前記第２ケース部に対して上下に摺動可能とされる摺動手段が形成されていると共に、前記増幅器に電源を供給する電源部を着脱可能に保持する保持手段が形成されている第１ケース部と、該第１ケース部の上部に回転可能に支持されて、前記第１ケース部の上面および前面を覆うように開閉自在とされ、閉じた際に前記第２ケース部に間隔を置いて上下に形成されている被係合手段のいずれかに係合する係合手段が形成されている蓋部とからなり、前記第１ケース部に前記電源部を収納した際には、前記蓋部を閉じた際に前記係合手段が、前記第２ケース部の上側に形成されている前記被係合手段に係合され、前記第１ケース部から前記電源部を取り外した際には、前記第１ケース部を前記第２ケース部方向に摺動させて収縮させることにより、前記係合手段が前記第２ケース部の下側に形成されている前記被係合手段に係合されて、前記電源部の収納空間をなくすことができるようにしている。
【００１０】
また、上記本発明の増幅器ケースにおいて、前記第２ケース部の対向する第２ケース側面板の外面に摺動溝が形成され、前記第１ケース部の対向する第１ケース側面板の内面に、前記摺動溝内を摺動可能に係合する係合凸部が形成されていることにより、前記第１ケース部が前記第２ケース部に摺動されるようにしてもよい。
さらに、上記本発明の増幅器ケースにおいて、前記係合凸部が距離を置いて上下に形成されていると共に、前記摺動溝内の上部と下部に前記係合凸部が係止される係合突起がそれぞれ形成されていてもよい。
【００１１】
さらにまた、上記本発明の増幅器ケースにおいて、前記電源部には、両側面から突出する突部と下面両側から突出する位置決め片とが形成されており、該突部が摺動可能に挟持される押さえ片が挟持されるリブが前記第１ケース部の後面板に形成され、前記位置決め片の先端が嵌合するリブが前記第２ケース部の後面板に形成されていてもよい。
さらにまた、上記本発明の増幅器ケースにおいて、前記第１ケース部の後面板の上部の両側に所定長の第１ケースリブが形成されており、前記第１ケース部を前記第２ケース部方向に摺動させて収縮させた際に、前記第１ケースリブが前記第２ケース部の後面板の上つの両側に形成されている溝部内に嵌合して位置規制されるようにしてもよい。
【００１２】
このような本発明によれば、電源部を増幅器ケース内に収納あるいは取り出しに応じて、第１ケース部を第２ケース部に対して摺動可能とすることができるので、無駄な収納空間が生じることを防止して、コンパクトなケースとすることができる。
【００１３】
【発明の実施の形態】
本発明の実施の形態の増幅器ケースの全体構成を図１ないし図５に示す。ただし、図１は電源部を収納した増幅器ケースの構成を示す正面図であり、図２はその構成を断面で示す側面図であり、図３はその構成を断面で示す底面図であり、図４は電源部を取り出した増幅器ケースの構成を示す正面図であり、図５はその構成を断面で示す側面図である。
これらの図に示すように、増幅器ケース１は断面がコの字状の第１ケース部３と、第１ケース部３が上下方向に摺動可能に嵌着している上面が開放された略直方体状の第２ケース部４と、第１ケース部３と第２ケース部４の上面および前面を覆うように蓋をすることのできる蓋部２とから構成されている。増幅器ケース１内には増幅部５１が収納されていると共に、電源部４０が着脱可能に収納可能とされている。蓋部２の上部には両側に一対の回転支持部８が形成されており、この回転支持部８により蓋部２は、第１ケース部３の上部に開閉可能に支持されている。
【００１４】
この蓋部２を開けた際に増幅器ケース１に、後述するように電源部４０を取り付けあるいは取り出すことができるようにされている。また、電源部４０を取り出した際には、第１ケース部３を第２ケース部４に対して下方へ摺動することにより、増幅器ケース１の高さを縮めてコンパクトになるようにされている。この状態が図４および図５に示されており、増幅器ケース１内における無駄な収納空間をなくしてコンパクトにすることができるようになる。
【００１５】
図１ないし図３に示す電源部４０を収納した増幅器ケース１の構成について説明すると、増幅器ケース１における第２ケース部４内には増幅部５１が収納されている。増幅部５１の下部からは下り信号が入力され上り信号が出力される信号入出力端子５と、図示していないが下り信号が出力され上り信号が入力される信号入出力端子６とが設けられている。また、増幅部５１の上部には図示していないが増幅部５１に電源を供給する電源入力端子３２が突出しないように設けられている。この増幅部５１の上側に収納される電源部４０の下部からは、図３に示すように増幅部５１で増幅された下り信号が入力され上り信号が出力されると共に電源が出力される信号入出力端子／電源出力端子４２と、増幅部５１で増幅された下り信号が出力され上り信号が入力される信号入出力端子４３とが突出するよう設けられている。また、下部からは電源ケーブル７が導出されている。この電源ケーブル７は、第２ケース部４の前面板に形成されている挿通溝３７に収納することができ、挿通溝３７を通って外部へ導出される。
【００１６】
電源部４０を増幅器ケース１内に収納するには、図７に示す電源部４０を収納する工程を説明する図のように、蓋部２を開けて第１ケース部３を第２ケース部４に対して伸長した状態として、増幅器ケース１内に生じた上部の空間に電源部４０を矢印で示すように収納し、電源部４０を第１ケース部３の後面板に押しつけながら矢印で示すように下方へ移動させる。これにより、電源部４０の信号入出力端子／電源出力端子４２が増幅部５１の電源入力端子３２に上から挿入されて接続され、電源部４０の信号入出力端子／電源出力端子４２および増幅部５１の電源入力端子３２を介して、電源が増幅部５１に供給されるようになる。この際に、電源部４０は機械的に第１ケース部３に固着される。
【００１７】
また、電源部４０を増幅器ケース１内から取り外すには、図７に示す電源部４０を収納する工程を説明する図において、電源部４０を第１ケース部３の後面板に沿って矢印と逆方向の上側へ移動させる。これにより、電源部４０の信号入出力端子／電源出力端子４２が増幅部５１の電源入力端子３２から離脱して、その間の電気的・機械的な接続が断たれるようになる。次いで、矢印と逆方向の前方へ電源部４０を引き出すことにより、電源部４０を取り外すことができる。そして、第１ケース部３を第２ケース部４に対して収縮させて、蓋部２を閉じることにより図４および図５に示す状態とすることができる。この場合は、外部に置いた電源部４０の信号入出力端子／電源出力端子４２を同軸ケーブルを介して増幅部５１の信号入出力端子６に接続することにより、同軸ケーブルおよび信号入出力端子６を介して、電源が増幅部５１に供給されるようになる。
【００１８】
このように、電源部４０を取り外した際にはコンパクトにすることのできる本発明にかかる増幅器ケース１における増幅部５１と電源部４０との使用態様を、図６に示す回路構成を参照して説明する。
増幅部５１において、信号入出力端子５に入力された下りの信号はコンデンサＣ１を介して双方向増幅器である増幅回路５１ａに供給され所定レベルとなるように増幅される。増幅回路５１ａにより増幅された下りの信号はコンデンサＣ２を介して信号入出力端子６から出力される。また、信号入出力端子６に入力された上りの信号はコンデンサＣ２を介して双方向の増幅回路５１ａに供給され所定レベルとなるように増幅される。増幅回路５１ａにより増幅された上りの信号はコンデンサＣ１を介して信号入出力端子５から出力される。増幅回路５１ａには電源部４０から直流電源が供給されている。
【００１９】
電源部４０においては、供給されたＡＣ１００Ｖを所定の直流電圧、例えば＋１５Ｖに変換する電源回路４０ａを備えており、電源回路４０ａから出力される直流電源はコイルＬ２を介して信号入出力端子／電源出力端子４２から出力される。また、信号入出力端子／電源出力端子４２から入力された下りの信号は、コイルＬ２のインピーダンスにより電源回路４０ａ側へは伝達されず、コンデンサＣ３を介して信号入出力端子４３から出力される。さらに、信号入出力端子４３から入力された上りの信号は、コンデンサＣ３を通過するがコイルＬ２のインピーダンスにより電源回路４０ａ側へは伝達されず信号入出力端子／電源出力端子４２から出力される。
【００２０】
ここで、電源部４０が増幅器ケース１内に収納されている場合は、点線で示す経路ａのように信号入出力端子／電源出力端子４２は電源入力端子５２に接続される。この場合は、信号入出力端子／電源出力端子４２から出力された直流電源は増幅部５１の電源入力端子５２に供給され、直流電源は増幅回路５１ａに供給される。なお、信号入出力端子６側へはダイオードＤ１により阻止されて直流電源は供給されない。これにより、増幅器ケース１内に収納されている電源部４０から増幅部５１へ電源が供給されるようになる。この場合は、信号入出力端子５に入力された下りの信号は、前述したようにコンデンサＣ１を介して増幅回路５１ａで増幅され、コンデンサＣ２を通過するがコイルＬ１のインピーダンスにより阻止されて信号入出力端子６から出力される。そして、信号入出力端子６に接続されている同軸ケーブルを介してセットトップボックス等へ供給される。また、セットトップボックス等から同軸ケーブルを介して信号入出力端子６に入力された上りの信号は、コイルＬ１のインピーダンスにより阻止され、コンデンサＣ２を介して増幅回路５１ａに供給されて増幅され、コンデンサＣ１を介して信号入出力端子５から出力される。
【００２１】
また、電源部４０が分離されて増幅器ケース１とは離れたところに設置される場合は、点線で示す経路ｂのように信号入出力端子／電源出力端子４２は増幅部５１の信号入出力端子６に同軸ケーブルにより接続される。この場合は、信号入出力端子／電源出力端子４２から出力された直流電源は増幅部５１の信号入出力端子６に供給され、直流電源はコンデンサＣ２により阻止されて、コイルＬ１およびダイオードＤ１を介して増幅回路５１ａに供給される。これにより、増幅器ケース１と離れたところに設定されている電源部４０から増幅部５１へ電源が供給されるようになる。なお、信号入出力端子５に入力された下りの信号は、前述したようにコンデンサＣ１を介して増幅回路５１ａで増幅され、コンデンサＣ２を通過するがコイルＬ１のインピーダンスにより阻止されて信号入出力端子６から出力される。
【００２２】
そして、同軸ケーブルを介して電源部４０の信号入出力端子／電源出力端子４２に下りの信号が入力され、前述したようにコイルＬ２のインピーダンスにより阻止されてコンデンサＣ３を介して信号入出力端子４３から出力され、同軸ケーブルを介してセットトップボックス等へ供給される。さらに、セットトップボックス等から電源部４０の信号入出力端子４３に入力された上りの信号は、コンデンサＣ３を通過するが、コイルＬ２のインピーダンスにより阻止されて信号入出力端子／電源出力端子４２から出力される。そして、同軸ケーブルを介して信号入出力端子６に供給される。この上りの信号はコイルＬ１のインピーダンスにより阻止され、コンデンサＣ２を介して増幅回路５１ａに供給されて増幅され、コンデンサＣ１を介して信号入出力端子５から出力される。
【００２３】
ここで、電源部４０の詳細構成を図１０ないし図１２に示す。ただし、図１０は電源部４０の構成を示す正面図であり、図１１はその下面図であり、図１２はその側面図である。
これらの図に示すように、電源部４０は細長い略直方体状のモールドされた本体部を有し、本体部の上部の後端縁から一対の突部４１が両側へ突出するように形成されている。本体部内には、トランスや整流・平滑回路等からなる電源回路４０ａが内蔵されている。また、電源部４０の下部から突出するように、下り信号が入力されて上り信号が出力されると共に、電源が出力される信号入出力端子／電源出力端子４２と、下り信号が出力されて上り信号が入力される信号入出力端子４３とが設けられている。さらに、電源部４０の下部からは電源ケーブル７が導出されていると共に、本体部の下面の後端部の両側から下方へ突出する一対の位置決め片４４が形成されている。この位置決め片４４の先端に切溝が形成されており、図３に示すように第２ケース部４の後端板に形成されている後述する第１リブ３３の先端に確実に係止するようにされている。また、電源部４０を増幅器ケース１から取り外して使用する場合には、位置決め片４４が取付部になる。すなわち、位置決め片４４の先端の切溝内に取り付けネジを挿入して被取付体に螺着することにより、電源部４０を被取付体である壁面等に固着することができる。
【００２４】
このような電源部４０が着脱自在に取り付けられる第１ケース部３の詳細構成を図１３ないし図１６に示す。ただし、図１３は第１ケース部３の構成を示す正面図であり、図１４はその下面図であり、図１５はそのＡ−Ａ線で切断した断面図であり、図１６はＢ−Ｂ線で切断した断面図である。
これらの図に示すように、第１ケース部３は断面がコの字状に形成されており、対向する一対の側面板２１間に設けられている後面板２０とを有している。両側面板２１の上部の外面には、蓋部２を回動自在に指示する軸となる断面略円形の一対の軸部２５が突出してそれぞれ形成されている。また、一対の対向する側面板２１の上部の内面には、前述した電源部４０に形成されている一対の突部４１が摺動可能に嵌挿される一対の押さえリブ２４が内方へ突出するようにそれぞれ形成されている。
【００２５】
さらに、一対の対向する側面板２１の下端の内面には、内方へ突出する一対の第１係合凸部２２がそれぞれ形成され、この第１係合凸部２２から所定の距離を置いた上部に内方へ突出する一対の第２係合凸部２３がそれぞれ形成されている。側面板２１の間に位置する後面板２０の上部内面の両側には一対のリブが所定長の長さだけ形成されている。また、後面板２０の裏面には被取付体を挟持あるいはネジ頭等の突起に係合可能な保持部９が形成されている。なお、図１５に示すように側面板２１における軸部２５が形成されている部位と後面板２０との間にそれぞれ溝部２７が形成されて、軸部２５に弾性を有させるようにしている。
【００２６】
電源部４０を第１ケース部３に取り付ける際には、図７に示すように、電源部４０の背面を第１ケース部３の後面板２０に押しつけるようにして下方へ移動させていく。すると、電源部４０の両側から突出するよう形成されている一対の突部４１が第１ケース部３の側面板２１の内面に形成されている一対の押さえリブ２４と後面板２０との間に嵌挿されるようになる。この際に、後面板２０の内面に一対形成されているリブ２６の作用により電源部４０は前方へ押されるので、電源部４０の一対の突部４１は適度な摺動力を持って押さえリブ２４と後面板２０との間を摺動していくようになる。そして、後述するが電源部４０の下面から突出するよう形成されている一対の位置決め片４４の先端の切溝に、第２ケース部４に形成されている一対の第１リブ３３の先端が当接した際に電源部４０は所定位置に収納されるようになる。この際に、電源部４０における信号入出力端子／電源出力端子４２が増幅部５１の上部から挿入されて電源入力端子５２に接続される。なお、第１リブ３３の先端にも切溝が形成されており、位置決め片４４が確実に第１リブ３３に係止するようにされている。
【００２７】
次に、第１ケース部３が摺動可能とされて伸長・収縮される第２ケース部４の詳細構成を図１７ないし図１９に示す。ただし、図１７は第２ケース部４の構成を示す正面図であり、図１８はその下面図であり、図１９はその側面図である。
これらの図に示すように、第２ケース部４は上部が開口した略直方体の形状とされて、後面板４ａが長く形成されている。第２ケース部４を構成している前面板４ｃ、一対の対向する側面板４ｂ、後面板４ａおよび底面板４ｄにより形成されている収納空間には増幅部５１が収納されている。この収納空間に収納された増幅部５１に設けられている信号入出力端子５および信号入出力端子６は、それぞれ底面板４ｄに形成されている孔部４ｆから下方へ突出するようになる。孔部４ｆは複数設けられており、孔部４ｆの周囲には防水キャップを取り付ける円筒状の鍔部がそれぞれ形成されている。
【００２８】
一対の対向する側面板４ｂは、前方の高さが低くなる階段状に形成されており、後面板４ａ側の高さが高い部位に図１９に示すようにその長さ方向にほぼ全長に亘り摺動溝３９が形成されている。摺動溝３９内において、上部に第１係合突起３９ａが形成されており、下部に第２係合突起３９ｂが形成されている。この第１係合突起３９ａを、第１ケース部３の側面板２１の内面に形成されている上側の第２係合凸部２３が上側に乗り越えて摺動溝３９内に係合した際に、第１ケース部３は第２ケース部４に対して伸長した状態となる。この伸長した状態においては、電源部４０の収納空間が生成されて電源部４０を増幅器ケース１内に収納することができる。また、第２係合突起３９ｂを、第１ケース部３の側面板２１の内面に形成されている下側の第１係合凸部２２が下側に乗り越えて摺動溝３９内に係合した際に、第１ケース部３は第２ケース部４に対して収縮した状態となる。この収縮した状態においては、電源部４０の収納空間を増幅器ケース１内からなくして、増幅器ケース１をコンパクトにすることができる。
【００２９】
このような、第１ケース部３と第２ケース部４との伸長状態および収縮状態を説明する説明図を図８および図９に示す。なお、図９は図８の一部を拡大して示す図とされている。
これらの図に示すように、第２ケース部４の摺動溝３９内に、第１ケース部３に形成されている２つの第１係合凸部２２および第２係合凸部２３が摺動可能に係合している。このように、上下に間隔を置いて形成されている２つの第１係合凸部２２および第２係合凸部２３が摺動溝３９内に係合していることから、第１ケース部３を第２ケース部４に対して安定して摺動することができるようになる。そこで、第１ケース部３を第２ケース部４に対して上側に摺動していくと、第２係合凸部２３が第１係合突起３９ａに当接するようになり、さらに上に引っ張ることにより第２係合凸部２３が第１係合突起３９ａを乗り越えて図８および図９の▲１▼に示すように第１係合突起３９ａの先の摺動溝３９内に収納されて係止されるようになる。この図８および図９▲１▼に示す状態が、第１ケース部３が第２ケース部４に対して伸長した状態である。この伸長した状態においては、電源部４０の収納空間が生成されて電源部４０を増幅器ケース１内に収納することができるようになる。
【００３０】
そして、図８および図９の▲１▼に示す状態から第１ケース部３を第２ケース部４に対して下側に摺動していくと、第１係合凸部２２が第２係合突起３９ｂに当接するようになり、さらに下に押し下げることにより第１係合凸部２２が第２係合突起３９ｂを乗り越えて図９の▲２▼に示すように第２係合突起３９ｂの下の摺動溝３９内に収納されて係止されるようになる。この図９の▲２▼に示す状態が、第１ケース部３が第２ケース部４に対して収縮した状態である。この収縮した状態においては、増幅器ケース１内から電源部４０の収納空間がなくなり、増幅器ケース１をコンパクトにすることができる。
【００３１】
図１７ないし図１９に戻り、第２ケース部４の前面板４ｃには上部ほぼ中央に蓋部２を開ける際に指を入れる凹部３８が形成されている。この凹部３８の両脇には、蓋部２の下端に形成されている係止片１４が係合可能な一対の第１係合片３１が形成されている。さらに、第１係合片３１を延長した前面板４ｃの下端の位置に、蓋部２の下端に形成されている係止片１４が係合可能な一対の第２係合片３２が形成されている。係止片１４が第１係合片３１に係合するのは、第１ケース部３が第２ケース部４に対して伸長された際であり、図１および図２あるいは図８および図９の▲１▼に示す状態の場合とされている。また、係止片１４が第２係合片３２に係合するのは、第１ケース部３が第２ケース部４に対して収縮された際であり、図４および図５あるいは図９の▲２▼に示す状態の場合とされている。
【００３２】
第２ケース部４の背の高い後面板４ａには、上部の両側に一対の溝部３６が形成されている。この溝部３６は、第１ケース部３が第２ケース部４に対して収縮された際に、第１ケース部３の後面板２０に形成されている一対のリブ２６が嵌入されて第１ケース部３の案内をする案内溝の作用を行っている。また、後面板４ａには両側に一対の第１リブ３３が形成されていると共に、１本の第２リブ３４と高さの高い位置決めリブ３５が形成されている。位置決めリブ３５は、一方（図１７における左側）の側面板４ｂとの間に増幅部５１が収納されるように位置規制を行うリブとされている。また、一対の第１リブ３３の先端には図１９に示すように切溝３３ａが形成されており、前述したように電源部４０に形成されている一対の位置決め片４４の切溝が形成されている先端が確実に係止されるようになされている。第２リブ３４は、一方（図１７では左側）の第１リブ３３とで収納されている増幅部５１を前方へ押している。この場合、前面板４ｃの内面には断面矩形状の一対のリブが内側へ突出して形成されており、この一対のリブと第２リブ３４および一方の第１リブ３３とで、増幅部５１を適度な保持力で確実に収納空間に保持するようにされている。なお、被取付体へ取り付けるためのネジを挿通する挿通孔を有する一対の取付足４ｅが、後面板４ａの下端から後方へ突出するよう形成されている。
【００３３】
次に、蓋部２の詳細構成を図２０ないし図２４に示す。ただし、図２０は蓋部２の構成を示す正面図であり、図２１はその上面図であり、図２２はその側面図であり、図２３は背面図であり、図２４は下面図である。
蓋部２は、上部が閉じた断面コの字状の前面部１１を備え、前面部１１の上端から後方へ上面部１２が突出するように形成されている。上面部１２は、側面にも所定の幅を有しており、この側面の先端部には丸い一対の軸孔１２ａが形成されている。この一対の軸孔１２ａ内に、第１ケース部３に形成されている軸部２５を嵌合することにより、蓋部２を第１ケース部３に対して回動可能とすることができる。
【００３４】
前面部１１は、前面板１１ａと一対の対向する側面板１１ｂとを有しており、一対の側面板１１ｂの先端部には凹溝１３が形成されている。この凹溝１３は、蓋部２を閉じた際に図３に示すように第１ケース部３の側面板２１の前縁に当接するようにされている。この場合、側面板１１ｂの先端部は第１ケース部３の側面板２１と第２ケース部４の側面板４ｂとの間に挟持されるようになり、蓋部２を閉じた際に増幅器ケース１を水密にすることができる。前面板１１ａの下部は下方へ若干延伸されて延伸部１１ｃが形成されている。この延伸部１１ｃから前面板１１ａに亘る内面には、一対の係止片１４と、一対の係止片１４のほぼ中央に断面が三角状とされている三角突起１５が形成されている。
【００３５】
一対の係止片１４は、第１ケース部３が第２ケース部４に対して伸長された際に第１係合片３１に対して係合する係止片であり、第１ケース部３が第２ケース部４に対して収縮された際には第２係合片３２に係合するようになる。三角突起１５の裏面には滑り止めの凹凸が形成されており、第２ケース部４の前面板４ｃに形成されている凹部３８に指を入れると三角突起１５に当てた指が滑ることなく蓋部２を開けることができるようになる。また、蓋部２の内面には前面部１１から上面部１２に亘り３本のリブ１６が形成されている。このリブ１６は、蓋部２を閉じた際に図２に示すように増幅器ケース１内に収納されている電源部４０の上面に当接して、電源部４０が抜け出ることを防止して確実に増幅部５１に接続されるようにしている。
【００３６】
以上説明した本発明にかかる増幅器ケース１を構成している蓋部２、第１ケース部３および第２ケース部４は合成樹脂製とされ樹脂成形により作成されている。また、これに限ることはなく本発明にかかる増幅器ケース１を、合成樹脂を成型することに替えて、アルミダイキャスト製としてもよい。さらに、増幅部５１はシールドケースに入れられており増幅部５１が備える信号入出力端子５，６およびモールドされている電源部４０が備える信号入出力端子／電源出力端子４２、信号入出力端子４３は、例えばＦ型同軸接栓とされるが、これに限るものではなく種々の同軸接栓とすることができる。さらに、増幅部５１あるいは電源部４０に入力される下りの信号および上りの信号は、例えばＣＡＴＶ信号やインターネットの信号とすることができる。さらにまた、本発明にかかる増幅器ケース１では増幅器を収納するようにしていたが、増幅器に限るものではなく電源を必要とする能動機器ならばいずれの能動機器のケースにでも、本発明の増幅器ケースを適用することができる。
【００３７】
【発明の効果】
上記したように本発明の増幅器ケースは、電源部を増幅器ケース内に収納あるいは取り出しに応じて、第１ケース部を第２ケース部に対して摺動可能とすることができるので、無駄な収納空間が生じることを防止して、コンパクトなケースとすることができる。
【図面の簡単な説明】
【図１】本発明の実施の形態の増幅器ケースに電源部を収納した場合の全体構成を示す正面図である。
【図２】本発明の実施の形態の増幅器ケースに電源部を収納した場合の全体構成を示す側面図である。
【図３】本発明の実施の形態の増幅器ケースに電源部を収納した場合の全体構成を示す底面図である。
【図４】本発明の実施の形態の増幅器ケースに電源部を取り外した場合の全体構成を示す正面図である。
【図５】本発明の実施の形態の増幅器ケースに電源部を取り外した場合の全体構成を示す側面図である。
【図６】本発明の実施の形態にかかる増幅器ケースに収納され増幅部と電源部の回路構成を示す図である。
【図７】本発明の実施の形態にかかる増幅器ケースに電源部を収納する工程を示す図である。
【図８】本発明の実施の形態にかかる増幅器ケースにおいて、第１ケースと第２ケースとの伸長状態および収縮状態を説明するための図である。
【図９】本発明の実施の形態にかかる増幅器ケースにおいて、第１ケースと第２ケースとの伸長状態および収縮状態を説明するための図である。
【図１０】本発明の実施の形態にかかる増幅器ケースにおける電源部の構成を示す正面図である。
【図１１】本発明の実施の形態にかかる増幅器ケースにおける電源部の構成を示す下面図である。
【図１２】本発明の実施の形態にかかる増幅器ケースにおける電源部の構成を示す側面図である。
【図１３】本発明の実施の形態にかかる増幅器ケースにおける第１ケース部の構成を示す正面図である。
【図１４】本発明の実施の形態にかかる増幅器ケースにおける第１ケース部の構成を示す下面図である。
【図１５】本発明の実施の形態にかかる増幅器ケースにおける第１ケース部の構成を示すＡ−Ａ線で切断した断面図である。
【図１６】本発明の実施の形態にかかる増幅器ケースにおける第１ケース部の構成を示すＢ−Ｂ線で切断した断面図である。
【図１７】本発明の実施の形態にかかる増幅器ケースにおける第２ケース部の構成を示す正面図である。
【図１８】本発明の実施の形態にかかる増幅器ケースにおける第２ケース部の構成を示す下面図である。
【図１９】本発明の実施の形態にかかる増幅器ケースにおける第２ケース部の構成を示す側面図である。
【図２０】本発明の実施の形態にかかる増幅器ケースにおける蓋部の構成を示す正面図である。
【図２１】本発明の実施の形態にかかる増幅器ケースにおける蓋部の構成を示す上面図である。
【図２２】本発明の実施の形態にかかる増幅器ケースにおける蓋部の構成を示す側面図である。
【図２３】本発明の実施の形態にかかる増幅器ケースにおける蓋部の構成を示す背面図である。
【図２４】本発明の実施の形態にかかる増幅器ケースにおける蓋部の構成を示す下面図である。
【図２５】ＣＡＴＶシステムからＣＡＴＶ信号を建物の屋内に導入する際の第１の態様を示す図である。
【図２６】ＣＡＴＶシステムからＣＡＴＶ信号を建物の屋内に導入する際の第２の態様を示す図である。
【符号の説明】
１  増幅器ケース、２  蓋部、３  第１ケース部、４  第２ケース部、４ａ  後面板、４ｂ  側面板、４ｃ  前面板、４ｄ  底面板、４ｅ  取付足、４ｆ  孔部、５  信号入出力端子、６  信号入出力端子、７  電源ケーブル、８  回転支持部、９  保持部、１１  前面部、１１ａ  前面板、１１ｂ  側面板、１１ｃ  延伸部、１２  上面部、１２ａ  軸孔、１３  凹溝、１４  係止片、１５  三角突起、１６  リブ、２０  後面板、２１  側面板、２２  第１係合凸部、２３  第２係合凸部、２４  押さえリブ、２５  軸部、２６  リブ、２７  溝部、３１  第１係合片、３２  第２係合片、３２  電源入力端子、３３  第１リブ、３３ａ切溝、３４  第２リブ、３５  位置決めリブ、３６  溝部、３７  挿通溝、３８  凹部、３９  摺動溝、３９ａ  係合突起、３９ｂ  係合突起、４０  電源部、４０ａ  電源回路、４１  突部、４２  信号入出力端子／電源出力端子、４３信号入出力端子、４４  位置決め片、５１  増幅部、５１ａ  増幅回路、５２電源入力端子、１００  ＣＡＴＶライン、１０１  分岐器、１０２  増幅器、１０３  分配器、１０４  電源部
【図１】
2004248133.tif 000003
【図２】
2004248133.tif 000004
【図３】
2004248133.tif 000005
【図４】
2004248133.tif 000006
【図５】
2004248133.tif 000007
【図６】
2004248133.tif 000008
【図７】
2004248133.tif 000009
【図８】
2004248133.tif 000010
【図９】
2004248133.tif 000011
【図１０】
2004248133.tif 000012
【図１１】
2004248133.tif 000013
【図１２】
2004248133.tif 000014
【図１３】
2004248133.tif 000015
【図１４】
2004248133.tif 000016
【図１５】
2004248133.tif 000017
【図１６】
2004248133.tif 000018
【図１７】
2004248133.tif 000019
【図１８】
2004248133.tif 000020
【図１９】
2004248133.tif 000021
【図２０】
2004248133.tif 000022
【図２１】
2004248133.tif 000023
【図２２】
2004248133.tif 000024
【図２３】
2004248133.tif 000025
【図２４】
2004248133.tif 000026
【図２５】
2004248133.tif 000027
【図２６】
2004248133.tif 000028